(57)【要約】  監視カメラ設備を利用して警備員の巡回による警備を支援する監視システムを提供する。  監視システムは、巡回経路に沿った各所に設置された複数の監視カメラ１０１及び固定型無線通信装置１０２と、警備員に所持される移動型無線通信装置３０１と、監視カメラ１０１及び固定型無線通信装置１０２とネットワークを介して接続された制御装置２０１と、制御装置２０１による制御の下で、監視カメラ１０１の映像を表示する表示装置２０３とを備える。制御装置２０１は、固定型無線通信装置１０２と移動型無線通信装置３０１との通信結果に基づいて巡回状況を監視し、巡回異常が検出された場合に、巡回異常を示す情報を表示装置２０３に表示させる。
2020053917.tif 000002
【特許請求の範囲】
【請求項１】
警備員の巡回による警備を支援する監視システムにおいて、
巡回経路に沿った各所に設置された複数の監視カメラ及び固定型無線通信装置と、
警備員に所持される移動型無線通信装置と、
前記監視カメラ及び前記固定型無線通信装置とネットワークを介して接続された制御装置と、
前記制御装置による制御の下で、前記監視カメラの映像を表示する表示装置とを備え、
前記制御装置は、前記固定型無線通信装置と前記移動型無線通信装置との通信結果に基づいて巡回状況を監視し、巡回異常が検出された場合に、巡回異常を示す情報を前記表示装置に表示させることを特徴とする監視システム。
【請求項２】
請求項１に記載の監視システムにおいて、
前記固定型無線通信装置は、自身の無線通信エリア内に前記移動型無線通信装置が入ってきたことを検知した場合に、前記移動型無線通信装置の検知を示す検知情報を前記制御装置に送信し、
前記制御装置は、前記固定型無線通信装置の各々から送信される前記検知情報に基づいて、巡回異常か否かを判定することを特徴とする監視システム。
【請求項３】
請求項２に記載の監視システムにおいて、
前記制御装置は、前記固定型無線通信装置の各々から所定の順番で前記検知情報を受信できなかった場合に、巡回異常と判定することを特徴とする監視システム。
【請求項４】
請求項２に記載の監視システムにおいて、
前記制御装置は、前記固定型無線通信装置の各々から所定の時間間隔内に前記検知情報を受信できなかった場合に、巡回異常と判定することを特徴とする監視システム。
【請求項５】
請求項１乃至請求項４のいずれかに記載の監視システムにおいて、
前記制御装置は、巡回異常が検出された場合に、前記移動型無線通信装置の最も近くにある監視カメラを特定し、当該監視カメラの映像を前記表示装置に表示させることを特徴とする監視システム。
【請求項６】
請求項５に記載の監視システムにおいて、
前記制御装置は、巡回異常が検出された場合に、前記移動型無線通信装置の最も近くにある監視カメラを、前記移動型無線通信装置の方向を向けて撮影させることを特徴とする監視システム。
【発明の詳細な説明】
【技術分野】
【０００１】
本発明は、警備員の巡回による警備を支援する監視システムに関する。
【背景技術】
【０００２】
一般的に、各種施設の構内の警備は、監視カメラの映像によるモニタ監視、センサ設備による侵入者検知、または警備員による巡回などを行うことによって達成される。また、監視カメラ設備とセンサ設備を連動させるシステムのように、これらを併用した監視システムもあり、種々の形態の監視システムが開発されている。
例えば、特許文献１には、複数のカメラによって撮影された映像を、ネットワークを介して監視端末へ送信する監視システムにおいて、監視端末が携帯端末（移動体）の位置情報に基づいて携帯端末へ送信するカメラ映像を選択する発明が開示されている。
【先行技術文献】
【特許文献】
【０００３】
【特許文献１】特開２０１７−３４５４１号公報
【発明の概要】
【発明が解決しようとする課題】
【０００４】
監視カメラ設備での監視とセンサ設備とを連動させるシステムは、一般に、センサ設備により侵入者が検知された場合に監視カメラ設備を動作させるよう構成されている。このシステムの問題点は、センサ設備が設置されている区間に侵入者などの検知対象が来なければ、監視カメラが作動しないことである。【０００５】
また、警備員による巡回を更に併用する場合には、以下のような問題が懸念される。センサ設備は、導入の目的がほとんどの場合において侵入者検知である性質上、検知した人物が警備員か侵入者かを区別することは想定しておらず、警備員が構内を巡回する方法との相性が悪い。なお、巡回中の警備員の位置をＧＰＳ（Global Positioning System）により特定することも考えられるが、建物の内部などのＧＰＳ信号が届きにくい環境には向いていない。また、センサ設備の動作結果を履歴として保存することで異常発生時の時刻を記録できるが、警備員の巡回の記録は別システムを用いて保存する必要がある。【０００６】
本発明は、上記従来の事情に鑑みて為されたものであり、監視カメラ設備を利用して警備員の巡回による警備を支援する監視システムを提供することを目的とする。
【課題を解決するための手段】
【０００７】
上記目的を達成するために、本発明では、監視システムを以下のように構成した。
（１）  警備員の巡回による警備を支援する監視システムにおいて、巡回経路に沿った各所に設置された複数の監視カメラ及び固定型無線通信装置と、警備員に所持される移動型無線通信装置と、前記監視カメラ及び前記固定型無線通信装置とネットワークを介して接続された制御装置と、前記制御装置による制御の下で、前記監視カメラの映像を表示する表示装置とを備え、前記制御装置は、前記固定型無線通信装置と前記移動型無線通信装置との通信結果に基づいて巡回状況を監視し、巡回異常が検出された場合に、巡回異常を示す情報を前記表示装置に表示させることを特徴とする。【０００８】
（２）  上記（１）に記載の監視システムにおいて、前記固定型無線通信装置は、自身の無線通信エリア内に前記移動型無線通信装置が入ってきたことを検知した場合に、前記移動型無線通信装置の検知を示す検知情報を前記制御装置に送信し、前記制御装置は、前記固定型無線通信装置の各々から送信される前記検知情報に基づいて、巡回異常か否かを判定することを特徴とする。【０００９】
（３）  上記（２）に記載の監視システムにおいて、前記制御装置は、前記固定型無線通信装置の各々から所定の順番で前記検知情報を受信できなかった場合に、巡回異常と判定することを特徴とする。【００１０】
（４）  上記（２）に記載の監視システムにおいて、前記制御装置は、前記固定型無線通信装置の各々から所定の時間間隔内に前記検知情報を受信できなかった場合に、巡回異常と判定することを特徴とする。【００１１】
（５）  上記（１）〜（４）のいずれかに記載の監視システムにおいて、前記制御装置は、巡回異常が検出された場合に、前記移動型無線通信装置の最も近くにある監視カメラを特定し、当該監視カメラの映像を前記表示装置に表示させることを特徴とする。【００１２】
（６）  上記（５）に記載の監視システムにおいて、前記制御装置は、巡回異常が検出された場合に、前記移動型無線通信装置の最も近くにある監視カメラを、前記移動型無線通信装置の方向を向けて撮影させることを特徴とする。
【発明の効果】
【００１３】
本発明によれば、監視カメラ設備を利用して警備員の巡回による警備を支援する監視システムを提供することができる。
【図面の簡単な説明】
【００１４】
【図１】本発明の一実施例に係る監視システムの構成例を示す図である。
【図２】監視カメラ及び固定型無線通信装置の配置例を示す図である。
【図３】巡回予定テーブルの例を示す図である。
【図４】巡回履歴テーブルの例を示す図である。
【図５Ａ】巡回異常（巡回漏れ）の検出時の表示装置の表示例を示す図である。
【図５Ｂ】巡回異常（巡回遅延）の検出時の表示装置の表示例を示す図である。
【発明を実施するための形態】
【００１５】
以下、本発明の一実施形態に係る監視システムについて、図面を参照して説明する。なお、以下の説明において参照する各図では、他の図と同等部分は同一符号によって示される。
【００１６】
図１には、本発明の一実施形態に係る監視システムの構成例を示してある。
本例の監視システムでは、構内の各所に複数の監視カメラ１０１及び固定型無線通信装置１０２が設置されるとともに、これら監視カメラ１０１及び固定型無線通信装置１０２と構内ネットワークを介して接続された制御装置２０１が監視室内に設置されている。また、移動型無線通信装置３０１が、構内を巡回する警備員に携帯される。監視カメラ１０１及び固定型無線通信装置１０２は、中継装置１０３を介して構内ネットワークに接続され、制御装置２０１は、中継装置２０５を介して構内ネットワークに接続されている。
【００１７】
制御装置２０１は、制御ソフトウェア２０２を保持しており、この制御ソフトウェア２０２を使用して、監視システムを統括的に制御する。また、制御装置２０１には、巡回異常の検出時の監視カメラ１０１の映像などを表示する表示装置２０３と、巡回異常の検出時の監視カメラ１０１の映像などを記録する記録装置２０４とが接続されている。
【００１８】
図２には、監視カメラ１０１及び固定型無線通信装置１０２の配置例を示してある。監視カメラ１０１及び固定型無線通信装置１０２は、警備員の巡回経路Ｒ１，Ｒ２に沿った各所に配置される。固定型無線通信装置１０２の配置間隔は、例えば、数十メートル間隔とする。Ｒ１は警備員が既に巡回した経路を示しており、Ｒ２は警備員がこれから巡回する予定の経路を示している。図２では、Ａ地点に監視カメラ１０１−Ａ及び固定型無線通信装置１０２−Ａが配置され、Ｂ地点に監視カメラ１０１−Ｂ及び固定型無線通信装置１０２−Ｂが配置され、Ｃ地点に監視カメラ１０１−Ｃ及び固定型無線通信装置１０２−Ｃが配置され、Ｄ地点に監視カメラ１０１−Ｄ及び固定型無線通信装置１０２−Ｄが配置されている。また、Ａ〜Ｄの各地点には中継装置１０３−Ａ〜１０３−Ｄも配置してあるが、図示を省略している。
【００１９】
移動型無線通信装置３０１は、いずれかの固定型無線通信装置１０２の無線通信エリア内に入った場合に、その固定型無線通信装置１０２と無線通信を行うことができる。本例では、固定型無線通信装置１０２は、半径数十メートル以内を無線通信エリアとして無線通信を行うことができる。なお、隣接する２つの固定型無線通信装置１０２の無線通信エリアが部分的に重複している場合には、その重複エリア内に存する移動型無線通信装置３０１は、選択された一方の固定型無線通信装置１０２と無線通信を行う。この場合、移動型無線通信装置３０１は、通信品質が良好な方の固定型無線通信装置１０２と通信を行ってもよいし、移動型無線通信装置３０１の移動先の方向にある固定型無線通信装置１０２と通信を行ってもよいし、他の方法で選択された固定型無線通信装置１０２と通信を行ってもよい。
【００２０】
固定型無線通信装置１０２は制御装置２０１と通信可能に接続されているので、移動型無線通信装置３０１は、近隣の固定型無線通信装置１０２を介して制御装置２０１と通信することもできる。したがって、移動型無線通信装置３０１を携帯する警備員は、必要に応じて、制御装置２０１を操作する監視員（監視室内にいる監視員）と通話することが可能である。
【００２１】
また、固定型無線通信装置１０２は、移動型無線通信装置３０１が無線通信エリア内に入ってきたことを検知すると、移動型無線通信装置３０１の検知を示す巡回検知情報を制御装置２０１に送信する。移動型無線通信装置３０１と通信できる固定型無線通信装置１０２は、警備員の巡回に伴って順次切り替わるので、巡回経路にある各固定型無線通信装置１０２から順番に巡回検知情報が送信されることになる。
【００２２】
固定型無線通信装置１０２が送信する巡回検知情報には、少なくとも、その固定型無線通信装置１０２の識別情報（例えば、固定型無線通信装置１０２の固有ＩＤ）が含まれる。制御装置２０１は、構内にある全ての監視カメラ１０１及び固定型無線通信装置１０２の位置情報を予め保持しており、受信した巡回検知情報に含まれる識別情報に基づいて、巡回検知情報の送信元である固定型無線通信装置１０２及びその位置を特定できる。その結果、移動型無線通信装置３０１のおおよその位置及びその近傍にある監視カメラ１０１も特定することができる。
【００２３】
以下に、本例の監視システムの動作モードについて説明する。本例の監視システムは、巡回警備モードと、非巡回警備モードとを有する。巡回警備モードは、警備員の巡回により警備を行うモードである。非巡回警備モードは、警備員の巡回なしで警備するモードであり、例えば、監視カメラ１０１の映像の解析により異常検知（例えば、侵入者の検知）を行う。制御装置２０１は、監視室内にいる監視員による操作に従って、巡回警備モードと非巡回警備モードの切り替えを行う。なお、警備員の巡回予定時間を予め設定しておき、巡回予定時間に基づいて自動的に巡回警備モードと非巡回警備モードの切り替えを行ってもよい。
【００２４】
まず、非巡回警備モードについて説明する。非巡回警備モードでは、制御装置２０１が、構内の各所にある監視カメラ１０１から送信される映像を画像処理によって解析し、異常検知を行う。制御装置２０１は、異常を検知した場合には、異常の発生を報せるアラームを発報するとともに、異常が検知された監視カメラ１０１の映像を表示装置２０３に表示させる。これにより、監視室にいる監視員は、異常が検知された付近の映像を確認することができる。
【００２５】
また、制御装置２０１は、異常が検知された監視カメラ１０１の映像を、アラームの情報とともに記録装置２０４に記録させる。記録装置２０４に録画する映像の時間長は任意であり、予め定められた固定時間長でもよく、制御装置２０１の操作者により指示された時間長でもよい。記録装置２０４に記録するアラームの情報としては、アラームの日付及び時刻、異常の発生位置を示す情報（例えば、異常が検知された監視カメラ１０１の位置情報又は識別情報）などが挙げられる。
【００２６】
なお、非巡回警備モードの動作は上記に限定されず、既存の種々の監視方法を用いることができる。例えば、構内の各所に赤外線センサーなどの移動体検出手段を設置しておき、移動体検出手段により移動体が検知されたことに応じて、移動体検出手段（又は制御装置２０１）がアラームを発報してもよい。そして、制御装置２０１が、アラームの発報に応じて、移動体を検知した移動体検出手段の付近にある監視カメラ１０１を特定し、その監視カメラ１０１の映像を表示装置２０３に表示させてもよい。
【００２７】
次に、巡回警備モードについて説明する。巡回警備モードでは、警備員の巡回順序が事前に設定された巡回予定テーブルと、警備員の巡回状況を記録する巡回履歴テーブルとが使用される。図３には、巡回予定テーブルの例を示してある。図３の巡回予定テーブルは、警備員が巡回する経路上にある固定型無線通信装置１０２を識別する「固定型無線通信装置ＩＤ」と、この固定型無線通信装置１０２の付近を警備員が巡回すべき順番を示す「巡回順序」の各項目を有する。図３の例では、Ａ地点、Ｂ地点、Ｃ地点、Ｄ地点・・・の順番で巡回を行うことが規定されている。なお、どのような順番で巡回が行われるかを特定できればよいので、「巡回順序」に代えて（又はこれとともに）、各地点を巡回する予定時刻を巡回予定テーブルに設定してもよい。
【００２８】
警備員は、移動型無線通信装置３０１を携帯し、構内を巡回する。警備員がＡ地点に近づくと、Ａ地点にある固定型無線通信装置１０２−Ａで移動型無線通信装置３０１が検知され、固定型無線通信装置１０２−Ａから制御装置２０１に巡回検知情報が送信される。制御装置２０１は、固定型無線通信装置１０２−Ａから受信した巡回検知情報に基づいて、巡回履歴テーブルに巡回履歴を記録する。次に警備員がＢ地点に近づくと、Ｂ地点にある固定型無線通信装置１０２−Ｂで移動型無線通信装置３０１が検知され、上記と同様な処理が行われる。その後の各地点でも、上記と同様な処理が行われる。
【００２９】
図４には、巡回履歴テーブルの例を示してある。図４の巡回履歴テーブルは、巡回検知情報の発報元の固定型無線通信装置１０２を識別する「固定型無線通信装置ＩＤ」と、この巡回検知情報が発報された順番を示す「巡回順序」と、この巡回検知情報が発報された日時を示す「移動型無線通信装置発報日時」の各項目を有する。図４の例では、巡回予定テーブル（図３）に定められた通りの順番で巡回が行われたことが、巡回履歴として記録されている。
【００３０】
巡回警備モードの制御装置２０１は、固定型無線通信装置１０２の各々から送信される巡回検知情報に基づいて、巡回異常の検出を行う。本例では、下記の２つの観点で、巡回異常の検出を行う。なお、他の観点で巡回異常を検出しても構わない。
【００３１】
第１の観点では、巡回漏れの有無、すなわち、巡回経路上の各地点を予定された順番通りに移動しているどうかを判定する。具体的には、制御装置２０１は、固定型無線通信装置１０２の各々から所定の順番（巡回警備用テーブルに設定された順番）で巡回検知情報を受信できなかった場合に、巡回異常と判定する。これにより、何らかのトラブルにより巡回漏れが生じていることを検出できる。
【００３２】
第２の観点では、巡回遅延の有無、すなわち、巡回経路上の各地点を予定された時間間隔内に移動しているかどうかを判定する。具体的には、制御装置２０１は、固定型無線通信装置１０２の各々から所定の時間間隔内に巡回検知情報を受信できなかった場合に、巡回異常と判定する。例えば、Ｂ地点にある固定型無線通信装置１０２−Ｂから巡回検知情報を受信した後の所定の時間内に、その次のＣ地点にある固定型無線通信装置１０２−Ｃから巡回検知情報を受信できなかった場合に、巡回異常と判定する。これにより、何らかのトラブルにより巡回遅延が生じていることを検出できる。所定の時間間隔は、各地点の区間の距離などの要因に応じて異ならせてもよいし、一定（例えば、１５分）でもよい。各区間で時間間隔を異ならせる場合は、区間毎の時間間隔の設定を巡回予定テーブルに含めておけばよい。
【００３３】
制御装置２０１は、巡回異常を検知した場合には、異常の発生を報せるアラームを発報するとともに、更に以下の制御を実施する。制御装置２０１はまず、移動型無線通信装置３０１の現在位置を、固定型無線通信装置１０２と移動型無線通信装置３０１の通信結果に基づいて割り出す。例えば、これまでの巡回検知情報の受信結果（巡回履歴）に基づいて、移動型無線通信装置３０１と通信可能な状態にある固定型無線通信装置１０２（最新の巡回検知情報を送信した固定型無線通信装置１０２）に対して移動型無線通信装置３０１が巡回経路の上流側なのか下流側なのかを判定する。これにより、移動型無線通信装置３０１のおおよその現在位置を推定することができる。また、移動型無線通信装置３０１と通信可能な状態にある固定型無線通信装置１０２における受信強度を測定することで、固定型無線通信装置１０２と移動型無線通信装置３０１の間の概算距離を算出してもよい。これにより、この固定型無線通信装置１０２の位置に対して巡回経路の上流側又は下流側の概算距離に基づいた位置に移動型無線通信装置３０１が存在すると推定できるので、現在位置の推定精度が高められる。なお、移動型無線通信装置３０１の現在位置は、他の方法により推定してもよいことは言うまでもない。
【００３４】
次に、制御装置２０１は、移動型無線通信装置３０１の現在位置に最も近い監視カメラ１０１を特定し、その監視カメラ１０１に撮影を行わせる。その際に、制御装置２０１は、監視カメラ１０１を移動型無線通信装置３０１の現在位置の方向を向けて撮影するよう制御する。これにより、移動型無線通信装置３０１を所持する警備員及びその近辺の様子を監視カメラ１０１で撮影できる。監視カメラ１０１の映像は、後述するように、関連する他の情報とともに表示装置２０３に表示される。
【００３５】
また、制御装置２０１は、異常が検知された監視カメラ１０１の映像を、アラームの情報とともに記録装置２０４に記録させる。記録装置２０４に録画する映像の時間長は任意であり、予め定められた固定時間長でもよく、制御装置２０１の操作者により指示された時間長でもよい。記録装置２０４に記録するアラームの情報としては、アラームの日付及び時刻、異常の種類（「巡回漏れ」または「巡回遅延」）、異常の発生位置を示す情報（例えば、異常が検知された固定型無線通信装置１０２の位置情報又は識別情報）などが挙げられる。
【００３６】
図５には、巡回異常の検出時の表示装置２０３の表示例を示してある。図５Ａは、巡回漏れの検出時の表示例であり、図５Ｂは、巡回遅延の検出時の表示例である。巡回異常の検出時の表示装置２０３には、図５のような巡回異常報知画面５０１が表示される。巡回異常報知画面５０１は、巡回異常の種類や発生位置を表示する領域５０２と、現在までの巡回履歴を表示する領域５０３と、警備員の巡回経路及び現在の移動型無線通信装置３０１の推定位置を構内マップ上に表示する領域５０４と、移動型無線通信装置３０１の推定位置の周辺を監視カメラ１０１で撮影した映像を表示する領域５０５とを有している。このような巡回異常報知画面５０１を表示装置２０３に表示させることで、監視室にいる監視員は、巡回異常が検出された際に、これまでの巡回状況、巡回異常の種類や発生位置、警備員の巡回経路及び現在の推定位置、警備員の周辺の映像を確認することができる。
【００３７】
なお、巡回異常報知画面５０１は、領域５０３に表示された複数の巡回履歴の中から１つを選択する操作を受け付けて、指定された巡回履歴に対応する監視カメラ１０１による過去の映像（巡回時点の映像）が領域５０５が表示されるように、表示切り替えを行ってもよい。これにより、監視員が巡回異常について確認する際に、巡回異常が検出される前の警備員及びその周囲の様子も把握できるようになる。
【００３８】
また、巡回異常の検出時において、制御装置２０１は、警備員に巡回異常を通知する巡回異常通知情報を移動型無線通信装置３０１に送信する。巡回異常通知情報は、移動型無線通信装置３０１の近隣にある固定型無線通信装置１０２（例えば、最も近くの固定型無線通信装置１０２）を介して送信される。巡回異常通知情報には、巡回異常の種類、周辺にある監視カメラ１０１で撮影された映像などが含まれる。また、その付近で過去に発生した巡回異常の情報を含めてもよい。移動型無線通信装置３０１は、巡回異常通知情報を受信すると、自身のモニタに表示出力する。また、移動型無線通信装置３０１は、モニタ出力に代えて／又はこれとともに、所定の警告ランプを点灯又は点滅させたり、所定の警告音又は警告メッセージを音声出力させたりしてもよい。
【００３９】
なお、巡回警備モードでは、警備員が巡回中の任意のタイミングで移動型無線通信装置３０１を操作することで、近隣の固定型無線通信装置１０２を介して、異常の発生を報せるアラームを制御装置２０１に送信することもできる。制御装置２０１は、移動型無線通信装置３０１から発報されたアラームを受信した場合も、巡回異常の検出時と同様の動作を行う。すなわち、制御装置２０１は、移動型無線通信装置３０１の現在位置を、固定型無線通信装置１０２と移動型無線通信装置３０１の通信結果に基づいて割り出す。そして、移動型無線通信装置３０１の現在位置に最も近い監視カメラ１０１を特定し、監視カメラ１０１を移動型無線通信装置３０１の現在位置の方向を向けて撮影するよう制御する。監視カメラ１０１の映像は、表示装置２０３に表示されるとともに記録装置２０４に記録される。
【００４０】
以上説明したように、本例の監視システムは、巡回経路に沿った各所に設置された複数の監視カメラ１０１及び固定型無線通信装置１０２と、警備員に所持される移動型無線通信装置３０１と、監視カメラ１０１及び固定型無線通信装置１０２とネットワークを介して接続された制御装置２０１と、制御装置２０１による制御の下で、監視カメラ１０１の映像を表示する表示装置２０３とを備えている。そして、制御装置２０１が、固定型無線通信装置１０２と移動型無線通信装置３０１との通信結果に基づいて巡回状況を監視し、巡回異常が検出された場合に、巡回異常を示す情報を表示装置２０３に表示させる構成となっている。
【００４１】
すなわち、本例の監視システムは、監視カメラ設備を利用して警備員の巡回による警備を支援できるように構成されている。また、建物の内部などのＧＰＳ信号が届きにくい環境でも、警備員の巡回状況を把握し、巡回異常を検出できるように構成されている。したがって、警備員の巡回による警備の支援に役立つ監視システムを提供することができる。
【００４２】
ここで、上記の例では、監視カメラ１０１、固定型無線通信装置１０２及び中継装置１０３を、互いに地点に配置しているが、これらを互いに異なる地点に配置してもよい。１つの中継装置１０３に対し、複数の固定型無線通信装置１０２及び中継装置１０３を接続してもよい。
【００４３】
また、巡回監視モードにおいて、制御装置２０１が、警備員の近傍にない監視カメラ１０１の映像解析等による異常検知を追加で実施してもよい。また、巡回監視モードにおいて、制御装置２０１が、巡回する警備員の映像を表示装置２０３に常に表示させるようにしてもよい。この場合には、表示装置２０３に映像を表示する監視カメラ１０１を警備員の移動に伴って切り替えるとともに、警備員を追いかけるように監視カメラ１０１の向きを制御すればよい。
【００４４】
以上、本発明について実施例に基づいて詳細に説明したが、本発明は、ここに記載された監視システムに限定されるものではなく、上記以外の監視システムにも広く適用できることは言うまでもない。
また、本発明は、例えば、本発明に係る処理を実行する方法や方式、そのような方法や方式を実現するためのプログラム、そのプログラムを記憶する記憶媒体などとして提供することも可能である。
【産業上の利用可能性】
【００４５】
本発明は、警備員の巡回による警備を支援する種々の監視システムに利用することができる。
【符号の説明】
【００４６】
１０１：監視カメラ、  １０２：固定型無線通信装置、  １０３：中継装置、  ２０１：制御装置、  ２０２：制御ソフトウェア、  ２０３：表示装置、  ２０４：記録装置、  ２０５：中継装置、  ３０１：移動型無線通信装置
【図１】
2020053917.tif 000003
【図２】
2020053917.tif 000004
【図３】
2020053917.tif 000005
【図４】
2020053917.tif 000006
【図５Ａ】
2020053917.tif 000007
【図５Ｂ】
2020053917.tif 000008
【手続補正書】
【提出日】令和3年2月26日(2021.2.26)
【手続補正１】
【補正対象書類名】特許請求の範囲
【補正対象項目名】全文
【補正方法】変更
【補正の内容】
【特許請求の範囲】
【請求項１】
警備員の巡回による警備を支援する監視システムにおいて、
巡回経路に沿った各所に設置された複数の監視カメラ及び固定型無線通信装置と、
警備員に所持される移動型無線通信装置と、
前記監視カメラ及び前記固定型無線通信装置とネットワークを介して接続された制御装置と、
前記制御装置による制御の下で、前記監視カメラの映像を表示する表示装置とを備え、
前記制御装置は、前記固定型無線通信装置と前記移動型無線通信装置との通信結果に基づいて巡回状況を監視し、巡回異常が検出された場合に、巡回異常を示す情報を前記表示装置に表示させると共に、前記固定型無線通信装置と前記移動型無線通信装置の通信結果、又は、前記移動型無線通信装置と通信可能な状態にある前記固定型無線通信装置における受信強度の測定値の少なくとも一方に基づいて、前記移動型無線通信装置の現在位置を推定し、前記推定した現在位置の最も近くにある監視カメラを特定してその監視カメラの映像を前記表示装置に表示させることを特徴とする監視システム。
【請求項２】
請求項１に記載の監視システムにおいて、
前記固定型無線通信装置は、自身の無線通信エリア内に前記移動型無線通信装置が入ってきたことを検知した場合に、前記移動型無線通信装置の検知を示す検知情報を前記制御装置に送信し、
前記制御装置は、前記固定型無線通信装置の各々から送信される前記検知情報に基づいて、巡回異常か否かを判定することを特徴とする監視システム。
【請求項３】
請求項２に記載の監視システムにおいて、
前記制御装置は、前記固定型無線通信装置の各々から所定の順番で前記検知情報を受信できなかった場合に、巡回異常と判定することを特徴とする監視システム。
【請求項４】
請求項２に記載の監視システムにおいて、
前記制御装置は、前記固定型無線通信装置の各々から所定の時間間隔内に前記検知情報を受信できなかった場合に、巡回異常と判定することを特徴とする監視システム。
【請求項５】
請求項１乃至請求項４のいずれかに記載の監視システムにおいて、
前記制御装置は、巡回異常が検出された場合に、前記推定した現在位置の最も近くにある監視カメラを、前記推定した現在位置の方向を向けて撮影させることを特徴とする監視システム。
【国際調査報告】
2020053917.tif 000009
2020053917.tif 000010
2020053917.tif 000011
2020053917.tif 000012